(57)【要約】【課題】  支持フレームを通じてお互いに対して取り付けられる２つのブラケットを備える支持アセンブリを提供すること。【解決手段】  支持アセンブリは第１のブラケット、支持フレーム及び第２のブラケットを含む。第１のブラケットは第１の端部及び第２の端部を含む。支持フレームは第１のブラケットの第２の端部に隣接する位置で第１のブラケットに接続されるとともに第１の支持区画を有する。第１のブラケット及び支持フレームのうちの一方は第２の支持区画を備える。第１の支持区画及び第２の支持区画は第２のブラケットを支持するための支持通路を共に構成する。【選択図】  図１
2019102786.tif 000002
【特許請求の範囲】
【請求項１】
第１の端部及び第２の端部を含む第１のブラケットと、
前記第１のブラケットの第２の端部に隣接する位置で前記第１のブラケットに接続される支持フレームであって、該支持フレームは第１の支持区画を有する、支持フレームと、
第２のブラケットと、
を含む支持アセンブリであって、
前記第１のブラケット及び前記支持フレームのうちの一方は第２の支持区画を備え、前記第１の支持区画及び該第２の支持区画は前記第２のブラケットを支持するための支持通路を共に構成する、支持アセンブリ。
【請求項２】
前記第２のブラケットは前記支持通路を通じて前記第１のブラケットに取り付けられ、前記第１のブラケット及び前記第２のブラケットは第１の取り付け部材及び第２の取り付け部材をそれぞれ含み、該第２の取り付け部材は該第１の取り付け部材から離れている、請求項１に記載の支持アセンブリ。
【請求項３】
前記第１のブラケットは第１の側面及び第２の側面を有し、該第１の側面は保持部を備え、前記第１の支持区画は該第２の側面に位置し、前記第２の支持区画も該第２の側面に位置する、請求項１に記載の支持アセンブリ。
【請求項４】
前記第１のブラケットは第１の部分を有し、前記第２のブラケットは第２の部分を有し、該第１の部分及び該第２の部分は、前記第１のブラケット及び前記第２のブラケットが第１の長さに伸長されている場合は互いに押し付けられておらず、該第１の部分及び該第２の部分は、前記第１のブラケット及び前記第２のブラケットが第２の長さに伸長されている場合は互いに押し付けられ、前記第１の部分は突起部及び弾性アームのうちの一方であり、前記第２の部分は突起部及び弾性アームのうちの他方である、請求項１に記載の支持アセンブリ。
【請求項５】
前記支持フレームは前記第１のブラケットと一体形成されているか又は前記第１のブラケットに接続された別個の部品である、請求項３に記載の支持アセンブリ。
【請求項６】
前記第１のブラケットは前記第２の支持区画を有する、請求項５に記載の支持アセンブリ。
【請求項７】
前記第１のブラケットは側壁を含み、該側壁は前記第１の側面及び前記第２の側面を有し、該側壁は上部及び下部をさらに有し、前記第１の支持区画は該下部に隣接し、前記第２の支持区画は該上部に隣接する、請求項６に記載の支持アセンブリ。
【請求項８】
前記第１の支持区画は第１の屈曲区画に接続され、前記第２の支持区画は第２の屈曲区画に接続されている、請求項６に記載の支持アセンブリ。
【請求項９】
前記第２のブラケットは上壁、下壁及び該上壁と該下壁との間に接続される側壁を含み、該下壁は前記第１の支持区画と位置が対応し、該上壁は前記第２の支持区画と位置が対応する、請求項８に記載の支持アセンブリ。
【請求項１０】
前記支持フレームは前記第１のブラケットに接続された別個の部品であり、前記支持フレームは前記第２の支持区画と、前記第１の支持区画及び前記第２の支持区画の間に接続された中間壁とを有し、前記第１の支持区画は第１の屈曲区画に接続され、前記第２の支持区画は第２の支持区画に接続されている、請求項８に記載の支持アセンブリ。
【発明の詳細な説明】
【技術分野】
【０００１】
本発明は支持アセンブリに関し、より具体的にはラックと共に用いる支持アセンブリに関する。
【背景技術】
【０００２】
特許文献１にはラックスライド取り付けシステムが開示されている。特許文献１の明細書に添付の図２に示すように、係るシステムは第１の取り付けブラケット２７及び第２の取り付けブラケット４７を含む。第１の取り付けブラケット２７は複数の細長いスロット３３を備え、第２の取り付けブラケット４７は複数の細長いスロット５３を備える。スライド機構２１上にある複数の突起３１及び５１は細長いスロットをそれぞれ貫通し、各突起はナット２９又は４８に接続されている。これにより、第１の取り付けブラケット２７及び第２の取り付けブラケット４７を伸長できる全体の長さを調節できるようにして、２つの取り付けブラケットがスライド機構２１を通じてシャーシを保持できるようにする。特許文献１の開示は参照により本願に組み込まれる。
【先行技術文献】
【特許文献】
【０００３】
【特許文献１】米国特許第６２３０９０３号明細書
【特許文献２】米国特許第７３５０８８４号明細書
【発明の概要】
【発明が解決しようとする課題】
【０００４】
特許文献１に開示のブラケットアセンブリの第１の取り付けブラケット２７及び第２の取り付けブラケット４７は２つの別個の部品であるが、このような構造の構成が市場の要求を常に満たすわけではない。
【０００５】
本発明は、支持フレームを通じてお互いに対して取り付けられる２つのブラケットを備える支持アセンブリを提供することを目的とする。
【課題を解決するための手段】
【０００６】
本発明の一態様によれば、支持アセンブリは第１のブラケット、支持フレーム及び第２のブラケットを含む。第１のブラケットは第１の端部及び第２の端部を含む。支持フレームは第１のブラケットの第２の端部に隣接する位置で第１のブラケットに接続されるとともに第１の支持区画を有する。第１のブラケット及び前記支持フレームのうちの一方は第２の支持区画を備える。第１の支持区画及び第２の支持区画は第２のブラケットを支持するための支持通路を共に構成する。
【０００７】
第２のブラケットは支持通路を通じて第１のブラケットに取り付けられ、第１のブラケット及び第２のブラケットは第１の取り付け部材及び第２の取り付け部材をそれぞれ含み、第２の取り付け部材は第１の取り付け部材から離れていることが好ましい。
【０００８】
第１のブラケットは第１の側面及び第２の側面を有することが好ましい。第１の側面は保持部を備え、第１の支持区画は該第２の側面に位置する。
【０００９】
第２の支持区画が第２の側面に位置するとともに第２の方向に延びていることが好ましい。
【００１０】
第１のブラケットは第１の部分を有し、第２のブラケットは第２の部分を有することが好ましい。第１の部分及び第２の部分は、第１のブラケット及び第２のブラケットが第１の長さに伸長されている場合は互いに接触しない。第１の部分及び第２の部分は、第１のブラケット及び第２のブラケットが第２の長さに伸長されている場合は互いに接触する。
【００１１】
第１の部分は突起部及び弾性アームのうちの一方であり、第２の部分は突起部及び弾性アームのうちの他方であることが好ましい。
【００１２】
支持フレームは前１のブラケットと一体形成されているか又は第１のブラケットに接続された別個の部品であることが好ましい。
【００１３】
第１のブラケットは第２の支持区画を有することが好ましい。
【００１４】
第１のブラケットは側壁を含み、側壁は第１の側面及び第２の側面だけでなく上部及び下部も有することが好ましい。第１の支持区画は下部に隣接し、第２の支持区画は上部に隣接することが好ましい。
【００１５】
第１の支持区画は第１の屈曲区画に接続されていることが好ましい。
【００１６】
第２の支持区画は第２の屈曲区画に接続されていることが好ましい。
【００１７】
第２のブラケットは上壁、下壁及び該上壁と該下壁との間に接続される側壁を含み、下壁及び上壁は第１の支持区画及び第２の支持区画とそれぞれ位置が対応することが好ましい。
【００１８】
支持フレームは第１のブラケットに接続された別個の部品であり、第２の支持区画及び第１の支持区画と第２の支持区画との間に接続された中間壁を有する。第１の支持区画及び第２の支持区画は第１の屈曲区画及び第２の支持区画にそれぞれ接続されていることが好ましい。
【００１９】
本発明の別の態様によれば、ラックに取り付けられるように適合された支持アセンブリは第１のブラケット、支持フレーム及び第２のブラケットを含む。第１のブラケットは側壁を含む。第１のブラケットの側壁は第１の端部及び第２の端部を含み、第１の取り付け部材は第１の端部に隣接して配置される。第１のブラケットの側壁も第１の側面及び第２の側面を有する。支持フレームは第２の側面に接続されるとともに第１の支持区画を有する。第２のブラケットは側壁及び第２の取り付け部材を含む。第１のブラケット及び支持フレームのうちの一方は第２の支持区画を備える。第１の支持区画及び第２の支持区画は第２のブラケットの側壁を支持するための支持通路を共に構成する。第１のブラケットは第１の取り付け部材を通じてラックの第１の側で第１の位置に取り付けられ、第２のブラケットは第２の取り付け部材を通じてラックの第１の側で第２の位置に取り付けられる。
【００２０】
第１のブラケットの側壁は第１の側面に保持部を有し、そのため支持アセンブリは保持部を通じて外部の物体を保持できる。
【００２１】
支持フレームは第１のブラケットの第２の端部に隣接するともに、第１のブラケットと一体形成されているか又は第１のブラケットに接続された別個の部品であることが好ましい。
【図面の簡単な説明】
【００２２】
【図１】図１は、本発明の一実施形態に係る一対の支持アセンブリを通じて物体がどのようにラックに取り付けられているかを示す。
【図２】図２は、本発明の一実施形態に係る支持アセンブリの斜視図である。
【図３】図３は、本発明の第１の実施形態に係る支持アセンブリの分解斜視図である。
【図４】図４は、本発明の第１の実施形態に係る支持アセンブリの断面図であり、支持アセンブリがどのように物体を支持するかを示す。
【図５】図５は、本発明の第１の実施形態に係る、ラックに取り付けられ且つ第１の長さに伸長された一対の支持アセンブリを示す。
【図６】図６は、図５の○で囲った領域Ａの拡大図である。
【図７】図７は、図５の○で囲った領域Ｂの拡大図である。
【図８】図８は、本発明の第１の実施形態に係る、ラックに取り付けられ且つ第２の長さに伸長された一対の支持アセンブリを示す。
【図９】図９は、図８の○で囲った領域Ａの拡大図である。
【図１０】図１０は、本発明の第２の実施形態に係る支持アセンブリの分解斜視図である。
【図１１】図１１は、本発明の第２の実施形態に係る支持アセンブリの組み立て斜視図である。
【図１２】図１２は、本発明の第２の実施形態に係る支持アセンブリの断面図である。
【図１３】図１３は、本発明の第３の実施形態に係る支持アセンブリの分解斜視図である。
【図１４】図１４は、本発明の第３の実施形態に係る支持アセンブリの組み立て斜視図である。
【図１５】図１５は、本発明の第３の実施形態に係る支持アセンブリの断面図である。
【発明を実施するための形態】
【００２３】
図１は、本発明の一実施形態に係る一対の支持アセンブリ２２、２４を通じて物体２０、例えば電子機器のシャーシがどのようにラック２６に取り付けられているかを示す。より具体的には、支持アセンブリ２２は第１のブラケット２８、支持フレーム３０及び第２のブラケット３２を含む。第１のブラケット２８はラック２６の第１の側Ｓ１で第１の位置Ｐ１に取り付けられ、第２のブラケット３２はラック２６の第１の側Ｓ１で第２の位置Ｐ２に取り付けられている。他方の支持アセンブリ２４はラック２６の第２の側Ｓ２で同様に取り付けられる。
【００２４】
図２〜図４は、支持アセンブリ２２の構成要素をより明確に示すとともに、それらの構成要素がお互いにどのような関係で配置されているかを示す。支持アセンブリ２２の第１のブラケット２８は第１の端部３４及び第２の端部３６（例えば、限定されないが前端部及び後端部）を含む。第１のブラケット２８は所定の長さの側壁３８を含むことが好ましい。側壁３８は第１の端部３４及び第２の端部３６を含み、少なくとも１つの取り付け部材４０（例えば２つの第１の取り付け部材４０）が第１の端部３４に隣接して配置される。第１のブラケット２８は、第１の取り付け部材４０を通じてラック２６の第１の側Ｓ１で第１の位置Ｐ１に取り付けられている。第１のブラケット２８の側壁３８は第１の側面Ｌ１及び第２の側面Ｌ２を有する。例えば、第２の側面Ｌ２は第１の側面Ｌ１の反対側にある。即ち、第１の側面Ｌ１及び第２の側面Ｌ２は側壁３８の両側にある。
【００２５】
第１の実施形態において、支持フレーム３０及び第１のブラケット２８は一体的に形成されている。支持フレーム３０は第２の端部３６に隣接する位置で第1のブラケット２８に接続されている。より具体的には、支持フレーム３０は第１のブラケット２８の側壁３８に接続されるとともに第２の側面Ｌ２から延びる。ここでは、一例として３つの支持フレーム３０が設けられている。しかしながら、実際には、１つの支持フレーム３０だけで十分である。各支持フレーム３０は第１の支持区画４２を有する。第１のブラケット２８又は支持フレーム３０のいずれかは第２の支持区画４４を備える。ここでは、一例として、第１のブラケット２８が第２の支持区画４４を備える。第１の支持区画４２及び第２の支持区画４４は第２のブラケット３２を支持するための支持通路４６を共に構成する。第２のブラケット３２は支持通路４６を通じて第１のブラケット２８に取り付けられる。
【００２６】
第２のブラケット３２は側壁４８及び少なくとも１つの第２の取り付け部材５０（例えば、２つの第２の取り付け部材５０）を含む。第２のブラケット３２の側壁４８は所定の長さを有するとともに支持通路４６内で支持されている。第２の取り付け部材５０は第２のブラケット３２の側壁４８の端部５２に隣接して配置されるとともに支持通路４６の外側にある。第２の取り付け部材５０は第１の取り付け部材４０から離れている。第２のブラケット３２は、第２の取り付け部材５０を通じてラック２６の第１の側Ｓ１で第２の位置Ｐ２に取り付けられている。
【００２７】
第１のブラケット２８の側壁３８は第１の部分５４を有し、第２のブラケット３２の側壁４８は第２の部分５６を有することが好ましい。ここでは、第１の部分５４は突起部であり、第２の部分５６は弾性アームである。ここでは図示していない実施形態では、反対に第１の部分５４が弾性アームであり、第２の部分５６が突起部であり得る。本発明はこの点で限定されない。即ち、第１の部分５４は突起部及び弾性部のうちの一方であり、第２の部分５６は突起部及び弾性アームのうちの他方である。弾性アームは、第２のブラケット３２が第１のブラケット２８に取り付けられる過程で突起部の上を弾性的に動かすことができる。
【００２８】
図４に示すように、第１の支持区画４２及び第２の支持区画４４は第１のブラケット２８の側壁３８の第２の側面Ｌ２に位置し、第１のブラケット２８の側壁３８は下部５８及び上部６０を有し、第１の支持区画４２は下部５８に隣接し、第２の支持区画４４は上部６０と隣接することが好ましい。
【００２９】
図４に示すように、第１の支持区画４２は下部５８から実質的に垂直に延び、第２の支持区画４４は上部６０から実質的に垂直に延びることが好ましい。
【００３０】
図４に示すように、保持部６２は第１のブラケット２８の側壁３８の第１の側面Ｌ１に配置され、下部５８に実質的に隣接し、第１の方向Ｄ１に延びることが好ましい。保持部６２は物体２０の側面が第１のブラケット２８の側壁３８の第１の側面Ｌ１に押し付けられて支持されるように物体２０の底部を保持するように構成されている。第１の支持区画４２及び第２の支持区画４４は第１の方向Ｄ１とは異なる第２の方向Ｄ２に延びる。
【００３１】
図４に示すように、各第１の支持区画４２は第１の屈曲区画６４に接続され、第２の支持区画４４は第２の屈曲区画６６に接続されていることが好ましい。ここでは、一例として、各第１の屈曲区画６４は対応する第１の支持区画４２に実質的に垂直に接続されるとともに支持通路４６の方に延び、第２の屈曲区画６６は第２の支持区画４４に実質的に垂直に接続されるとともに支持通路４６の方に延びる。
【００３２】
図４に示すように、第２のブラケット３２は上壁６８ａ及び下壁６８ｂを含み、側壁４８は上壁６８ａと下壁６８ｂとの間に接続され、下壁６８ｂは第１の支持区画４２と位置が対応し、上壁６８ａは第２の支持区画４４と位置が対応することが好ましい。
【００３３】
図４に示すように、第１の屈曲区画６４及び第２の屈曲区画６６は第２のブラケット３２を支持通路４６内で維持するのに役立つ。
【００３４】
図５〜図７を参照して、第１の部分５４及び第２の部分５６は、第１のブラケット２８及び第２のブラケット３２が第１の長さＸ１に伸長されている場合は互いに接触しない。この状態にある第２のブラケット３２は、図８及び図９に示すように支持通路４６を通じて第１のブラケット２８に対して動かすことができる。第１のブラケット２８及び第２のブラケット３２が第２の長さＸ２に伸長されると、第１の部分５４及び第２の部分５６は互いに接触することにより、安全のために第１のブラケット２８及び第２のブラケット３２の調節（即ち相対変位）に制限を設定する。
【００３５】
図１０〜図１２は、本発明の第２の実施形態に係る支持アセンブリ２００を示す。支持アセンブリ２００は第１の実施形態の支持アセンブリ２２とは支持フレーム２０２が第１のブラケット２０４に接続された別個の部品である点で実質的に異なる。例えば、支持フレーム２０２はリベット留め又は溶接により第１のブラケット２０４に固定接続され得るか又は支持フレーム２０２は機械的な係合を通じて又はネジにより第１のブラケット２０４に取り外し可能に接続され得る。
【００３６】
第１のブラケット２０４は第２の支持区画２０６を有する一方、支持フレーム２０２は第１の支持区画２１４を有する。第１の支持区画２１４及び第２の支持区画２０６は第２のブラケット２２０の側壁２２６を支持するための支持通路２０７を共に構成する。
【００３７】
第１のブラケット２０４は側壁２０８を含み、側壁２０８は第１の側面Ｌ１及び第２の側面Ｌ２を有する。
【００３８】
図１２に示すように、第１のブラケット２０４の側壁２０８は上部２１０及び下部２１２を有し、第１の支持区画２１４及び第２の支持区画２０６は第２の側面Ｌ２に位置する。第１の支持区画２１４は下部２１２に隣接する一方、第２の支持区画２０６は上部２１０に隣接する。保持部２１６は第１の側面Ｌ１に配置されるとともに第１の方向Ｄ１に延びる。第１の支持区画２１４及び第２の支持区画２０６は第２の方向Ｄ２に延びる。第１の支持区画２１４は第１の屈曲区画２１８に接続される。ここでは、第１の屈曲区画２１８は一例として第１の支持区画２１４に実質的に垂直に接続される。第２のブラケット２２０は、側壁２２６に加えて上壁２２２及び下壁２２４を含む。側壁２２６は上壁２２２と下壁２２４との間に接続される。下壁２２４は第１の支持区画２１４と位置が対応し、上壁２２２は第２の支持区画２０６と位置が対応する。
【００３９】
図１３〜図１５は、本発明の第３の実施形態に係る支持アセンブリ３００を示す。支持アセンブリ３００は第１の実施形態の支持アセンブリ２２と支持フレーム３０２が第１のブラケット３０４に接続された別個の部品である点で実質的に異なる。例えば、支持フレーム３０２はリベット留め又は溶接により第１のブラケット３０４に固定接続され得るか又は支持フレーム３０２は機械的な係合を通じて又はネジにより第１のブラケット３０４に取り外し可能に接続され得る。
【００４０】
支持フレーム３０２は第２の支持区画３０６及び第１の支持区画３１０を有する。支持フレーム３０２は第１の支持区画３１０と第２の支持区画３０６との間に接続された中間壁３０８をさらに有する。第１の支持区画３１０は第１の屈曲区画３１２に接続され、第２の支持区画３０６は第２の屈曲区画３１４に接続される。
【００４１】
第１の支持区画３１０、第２の支持区画３０６及び中間壁３０８は第２のブラケット３１８を支持するための支持通路３１６を定義する。
【００４２】
支持フレーム３０２の中間壁３０８には、第１のブラケット３０４の第１の部分３２０を妨害しないように孔３２１が形成されている。第１のブラケット３０４の第１の部分３２０は、支持フレーム３０２の中間壁３０８の孔３２１を通って第２のブラケット３１８の第２の部分３２２と共に協働する。第１の部分３２０及び第２の部分３２２の構造上の構成及び機能は第１の実施形態における第１の部分及び第２の部分のものと同じであるため、説明は省略する。
【００４３】
上記によれば、本願で開示の支持アセンブリは下記の特徴を有することが好ましい。
【００４４】
１）各支持アセンブリの支持フレーム及び第１のブラケットは一体形成されてもよいし、支持フレームは第１のブラケットに接続された別個の部品であってもよい。いずれの場合も、支持フレームは支持アセンブリの構造強度を高める役割を果たす。さらに、第２の実施形態及び第３の実施形態の支持フレームは組み立てを促進するために第１のブラケットに取り外し可能に接続され得る。
【００４５】
２）支持アセンブリは深さの異なるラックに適合するために長さを調節することができる。
【００４６】
３）支持アセンブリは、それが保持する物体を直接支持するようにラックに取り付けられるよう構成されている。
【００４７】
上述の好ましい実施形態を通じて本発明を開示してきたが、これらの実施形態は本発明の範囲を限定することを意図したものではないことが分かる。出願人が求める特許の保護範囲は添付の特許請求の範囲によって定義される。
【符号の説明】
【００４８】
２０  物体
２２、２００、３００  支持アセンブリ
２４  他方の支持アセンブリ
２６  ラック
２８、２０４  第１のブラケット
３０、２０２、３０２  支持フレーム
３２  第２のブラケット
３４  第１の端部
３６  第２の端部
３８  側壁
４０  第１の取り付け部材
４２、２１４、３１０  第１の支持区画
４４、２０６、３０６  第２の支持区画
４６  支持通路
４８  側壁
５０  第２の取り付け部材
５２  端部
５４  第１の部分
５６  第２の部分
５８  下部
６０  上部
６２  保持部
６４  第１の屈曲区画
６６  第２の屈曲区画
６８ａ  上壁
６８ｂ  下壁
３０８  中間壁
【図１】
2019102786.tif 000003
【図２】
2019102786.tif 000004
【図３】
2019102786.tif 000005
【図４】
2019102786.tif 000006
【図５】
2019102786.tif 000007
【図６】
2019102786.tif 000008
【図７】
2019102786.tif 000009
【図８】
2019102786.tif 000010
【図９】
2019102786.tif 000011
【図１０】
2019102786.tif 000012
【図１１】
2019102786.tif 000013
【図１２】
2019102786.tif 000014
【図１３】
2019102786.tif 000015
【図１４】
2019102786.tif 000016
【図１５】
2019102786.tif 000017